(57)【要約】【課題】軽量で視界性良好なスクリーン部材１４で雨除け用の屋根１９や泥除け用の側壁などを必要時に容易に形成して作業性を向上させる。【解決手段】機体に立設させるガードフレーム１０・２２に運転席６の上方或いは前方或いは後方の少なくとも何れか一方を覆うスクリーン部材１４を支持させる。また、スクリーン部材１４の一端側を取付けるスクリーン取付部材１１を折畳み自在にガードフレーム１０・２２に支持させる。【選択図】      図４
2004255936.tif 000002
【特許請求の範囲】
【請求項１】
機体に立設させるガードフレームに運転席の上方或いは前方或いは後方の少なくとも何れか一方を覆うスクリーン部材を支持させたことを特徴とするトラクタ。
【請求項２】
スクリーン部材の一端側を取付けるスクリーン取付部材を折畳み自在にガードフレームに支持させたことを特徴とする請求項１記載のトラクタ。
【発明の詳細な説明】
【０００１】
【発明の属する技術分野】
本発明は機体の転倒時に運転席の作業者を保護するガードフレーム（ロプス）を装備させたトラクタに関する。
【０００２】
【従来の技術】
運転席上方を覆う屋根をロプスに固定させた構造がある。（例えば特許文献１参照）
【０００３】
【特許文献１】実用新案登録第２５１７３９０号
【０００４】
【発明が解決しようとする課題】
上記の如き屋根をロプスに固定させた構造にあっては、屋根の脱着が容易に行えないばかりでなく、作業中の屋根の振動などによる騒音が発生して快適な作業が行えないなどの不都合がある。
【０００５】
【課題を解決するための手段】
したがって本発明は、機体に立設させるガードフレームに運転席の上方或いは前方或いは後方の少なくとも何れか一方を覆うスクリーン部材を支持させて、軽量で視界性良好なスクリーン部材で雨除け用の屋根や泥除け用の側壁などを必要時に容易に形成して作業性を向上させるものである。
【０００６】
また、スクリーン部材の一端側を取付けるスクリーン取付部材を折畳み自在にガードフレームに支持させて、屋根や側壁などの不必要時にはスクリーン部材を容易に取外しスクリーン取付部材を簡単に折畳んで、スクリーン取付部材などを障害とさせることのない良好な作業を可能とさせるものである。
【０００７】
【発明の実施の形態】
以下、本発明の実施例を図面に基づいて詳述する。図１は全体の側面図、図２は同平面図、図３は同正面図を示し、図中１はトラクタであり、エンジン２を内設させるボンネット３両側に左右の前輪４・４を装設させ、前記ボンネット３後部に丸形操向ハンドル５を設け、該ハンドル５後方に運転席６を配置させ、運転席６両側外方に左右の後輪７・７を装設させる。
【０００８】
図５、図６に示す如く、ボンネット３後部の左右両側に装備させる下部支柱８上端に横軸９を介し門形状のガードフレーム（ロプス）１０下端を取外し自在に固定させると共に、ガードフレーム１０の左右縦フレーム部１０ａ上端の外側に水平長板状の左右スクリーン取付部材１１の基端を位置規制ボルトなど固定部材１２を回動自在に取付けている。
【０００９】
そして、縦フレーム部１０ａ上端の前面に固設するロール取付ブラケット１３に透明ビニールなど透明合成樹脂製のスクリーン部材１４のロール１５をロール軸１６を介し回転自在に取付け、スクリーン部材１４先端に丸形の横取付軸１７を固着させると共に、前記スクリーン取付部材１１の先端に切欠係合溝１８を形成させ、左右スクリーンの取付部材１１の先端を後方向に略水平に延設させる状態のとき、ロール１５よりスクリーン部材１４を繰出して先端の横取付軸１７両端を左右スクリーン取付部材１１の切欠係合溝１８に係合保持させることによって、運転席６上方をスクリーン部材１４で覆う雨除け用屋根１９を形成させるように構成している。
【００１０】
また、前記左右縦フレーム部１０ａの下端前面に下向きの係合部を形成する左右フック２０を固設して、図５仮想線に示す如く、前記ロール１５からのスクリーン部材１４の横取付軸１７を左右フック２０に係合させるとき、運転席６前方をスクリーン部材１４で覆う風除け用などのウインド（壁）２１を形成させるように構成している。
【００１１】
さらに、前記スクリーン部材１４を使用しない作業時にあっては、図５仮想線に示す如く、スクリーン取付部材１１を縦フレーム部１０ａ側方に沿う状態に折畳んで障害物とはさせないものである。
【００１２】
図６、図７に示すものは、運転席６の後方に配備させる門形状の後ガードフレーム２２に前述同様のスクリーン部材１４を取付ける構成を示すもので、後ガードフレーム２２の左右縦フレーム部２２ａの下端後面にブラケット１３及びロール軸１６を介しスクリーン部材１４のロール１５を回転自在に取付け、左右縦フレーム部２２ａの上端両側に左右スクリーン取付部材１１の基端を固定部材１２を介し前方向に水平突出状に固定させ、取付部材１１上端の横水平フレーム部２ｂ上面にスクリーン部材１４の張設ガイド２３を固設させ、左右スクリーン取付部材１１先端に形成する切欠係合溝１８にロール１５からのスクリーン部材１４をガイド２３を介し前方向に繰出して横取付軸１７を係合保持させることによって、運転席６の上方及び後方をスクリーン部材１４で覆う屋根２４を形成させるように構成している。
【００１３】
該構成においてもスクリーン取付部材１１を回動自在に後ガードフレーム２２を取付けて折畳み自在とさせるものである。
【００１４】
また、左右縦フレーム部２２ａの中間後面に上向きの係合部を形成する左右フック２０を固設して、前記スクリーン部材１４の横取付軸１７を左右フック２０に係合保持させるとき、代かき作業などにおける後方からの泥除け用ウインド（壁）２５を形成させるように構成している。
【００１５】
上記からも明らかなように、機体に立設させるガードフレーム１０・２２に運転席６の上方或いは前方或いは後方の少なくとも何れか一方を覆うスクリーン部材１４を支持させたことによって、軽量で視界性良好なスクリーン部材１４で雨除け用の屋根１９や泥除け用の側壁などを必要時に容易に形成して作業性を向上させることができる。
【００１６】
また、スクリーン部材１４の一端側を取付けるスクリーン取付部材１１を折畳み自在にガードフレーム１０・２２に支持させたことによって、屋根１９や側壁などの不必要時にはスクリーン部材１４を容易に取外しスクリーン取付部材１１を簡単に折畳んで、スクリーン取付部材１１などを障害とさせることのない良好な作業を可能とさせることができる。
【００１７】
図１、図２に示す如く、機体左側方に配設するバックミラー２６はトラクタ１の前後方向においてガードフレーム１０より前方で、トラクタ１の左右方向においてガードフレーム１０より左外側で左フェンダ２７より内側の空間域Ａに配設させて、運転席６からのミラー２６の視覚を良好とさせると共に、ミラー２６の破損防止を図っている。
【００１８】
図８に示すものは、前記ミラー２６のミラーステー２８を取付ブラケット２９のボス３０にバネ３１及び締付ナット３２を介し回動自在に取付けられると共に、下部支柱８のブラケット３３の穴を利用してブラケット３３に取外し自在にミラー２６の取付ブラケット２９を取付けて、支点軸３４を中心としたガードフレーム１０の回動時にも影響のないミラー２６の良好な保持を図るように構成している。
【００１９】
図９に示すものは、バックミラー２６とフラッシャランプ３５を一体にステー３６に取付けると共に、ガードフレーム１０にボルト３７を介しステー３６を取外し自在に固定させて部品点数の削減を図るように構成したものである。
【００２０】
図３に示す如く、前記ガードフレーム１０側面にコンビネーションライト３８の取付ステーを共用しパトライト３９の設置を可能とさせるものである。
【００２１】
図１０、図１１に示すものは、ガードフレーム１０の起立或いは倒伏時に位置決めをボール４０とノッチ４１で行うガードフレーム１０のデテント式位置決め機構４２をガードフレーム１０とブラケット３３間に設けたものである。
【００２２】
また図１２、図１３に示すものは、前記支点軸３４の外側でガードフレーム１０とブラケット３３間に捩り式のダンパバネ４３を組込み、ガードフレーム１０の下げ時にはダンパ（クッション作用）として作用させ、上げ時には上げ方向の力を作用させて操作性を向上させるように構成したものである。
【００２３】
図１４に示すものは、ガードフレーム１０の下部支柱８と連結する角パイプ製車体フレーム４４の中に小形の角パイプ製の補強フレーム４５を挿入して溶接固定させると共に、最も応力のかかる補強フレーム４５の曲り部にコ形プレート４６を固設させてフロートフレーム４４の強度向上を図るように構成している。
【００２４】
また、変速レバー４７などのレバーガイド４８上方にカップホルダ４９や小物入れを設置しレバーガイド４８上方の空間を有効活用するものである。
【００２５】
さらに、ボンネット３の前側を支持するフロントフレーム５０及び下部支柱８の上端にコ形状の補強プレート５１・５２を必要に応じ追加連結させて、ガードフレーム１０の上端とフロートフレーム５０上端を結ぶライン下側の安全空間５３を例えばエンジン２の気筒数などに応じ変化させて、冷却効果などを充分に確保するように構成している。
【００２６】
【発明の効果】
以上実施例から明らかなように本発明は、機体に立設させるガードフレーム１０・２２に運転席６の上方或いは前方或いは後方の少なくとも何れか一方を覆うスクリーン部材１４を支持させたものであるから、軽量で視界性良好なスクリーン部材１４で雨除け用の屋根１９や泥除け用の側壁などを必要時に容易に形成して作業性を向上させることができるものである。
【００２７】
また、スクリーン部材１４の一端側を取付けるスクリーン取付部材１１を折畳み自在にガードフレーム１０・２２に支持させたものであるから、屋根１９や側壁などの不必要時にはスクリーン部材１４を容易に取外しスクリーン取付部材１１を簡単に折畳んで、スクリーン取付部材１１などを障害とさせることのない良好な作業を可能とさせることができるものである。
【図面の簡単な説明】
【図１】トラクタの全体側面図。
【図２】トラクタの全体平面図。
【図３】トラクタの全体正面図。
【図４】ガードフレーム部の斜視説明図。
【図５】ガードフレーム部の側面説明図。
【図６】後ガードフレーム部の斜視説明図。
【図７】後ガードフレーム部の側面説明図。
【図８】バックミラー部の取付説明図。
【図９】バックミラー部の取付説明図。
【図１０】位置決め機構の側面説明図。
【図１１】位置決め機構の正面説明図。
【図１２】ダンパバネ部の側面説明図。
【図１３】ダンパバネ部の正面説明図。
【図１４】ガードフレーム部の側面説明図。
【符号の説明】
６      運転席
１０    ガードフレーム
１１    スクリーン取付部材
１４    スクリーン部材
２２    ガードフレーム
【図１】
2004255936.tif 000003
【図２】
2004255936.tif 000004
【図３】
2004255936.tif 000005
【図４】
2004255936.tif 000006
【図５】
2004255936.tif 000007
【図６】
2004255936.tif 000008
【図７】
2004255936.tif 000009
【図８】
2004255936.tif 000010
【図９】
2004255936.tif 000011
【図１０】
2004255936.tif 000012
【図１１】
2004255936.tif 000013
【図１２】
2004255936.tif 000014
【図１３】
2004255936.tif 000015
【図１４】
2004255936.tif 000016